【事件の表示】
　特許第６０８０７１１号発明「インクジェット記録装置」の特許異議申立事件について、次のとおり決定する。
【結　論】
　特許第６０８０７１１号の特許請求の範囲を訂正請求書に添付された訂正特許請求の範囲のとおり、訂正後の請求項〔１ないし３〕，４について訂正することを認める。
　特許第６０８０７１１号の請求項１ないし３に係る特許を取り消す。
　同請求項４に係る特許を維持する。
【理　由】
第１　手続の経緯 
　特許第６０８０７１１号の請求項１ないし４に係る特許についての出願は，平成２５年７月８日に特許出願され，平成２９年１月２７日にその特許権の設定登録がされ，その後，請求項１ないし４に係る特許について，平成２９年８月３日に特許異議申立人山本喜一により特許異議の申立てがされ，当審において平成２９年１１月２９日付けで取消理由を通知し，その指定期間内である平成３０年２月１日付けで特許権者から意見書の提出，及び訂正の請求がなされ，同年３月７日付けで特許異議申立人山本喜一から意見書が提出され，当審において平成３０年５月１５日付けで取消理由（決定の予告）を通知し，その指定期間内である同年７月１３日付けで特許権者から意見書（以下，「特許権者意見書」という。）の提出，及び訂正の請求（以下，「本件訂正請求」という。）がなされ，同年８月２９日付けで 特許異議申立人山本喜一から意見書（以下，「申立人意見書」という。）が提出されたものである。
　なお，特許法第１２０条の５第７項の規定により，本件訂正請求がされたことにより，先にした訂正の請求である平成３０年２月１日付けの訂正の請求は，取り下げられたものとみなされる。
  
第２　訂正の適否についての判断 
　１　訂正の内容 
　本件訂正請求による訂正の内容は以下のとおりである。 
　（１）訂正事項Ａ
　訂正前の請求項２及び３は，いずれも訂正前の請求項１を引用するものであって，訂正前の請求項１の訂正により連動して訂正されるものであるから，訂正事項Ａは，訂正前の請求項１について訂正するものであって，訂正前の請求項１ないし３を訂正後の請求項１ないし３である一群の請求項について下記アないしオの事項について訂正するものである。
　ア　訂正事項Ａ−１
　特許請求の範囲の請求項１の「インクの液滴を吐出する記録ヘッドを備え，該記録ヘッドからインクの液滴を吐出して記録媒体に記録を行うインクジェット記録装置において，」を
　「インクの液滴を吐出する記録ヘッドを備え，
該記録ヘッドをガイドレールに沿って往復移動させながら，
い，該記録媒体を載置する載置部により該記録媒体を該往復移動に交差する方向にスライド移動させる作動を繰り返すことにより，該記録媒体の印刷領域全体に所望の文字や図柄の印刷を行う
　イ　訂正事項Ａ−２
　特許請求の範囲の請求項１の「前記検出手段は，前記記録媒体もしくは前記載置部を把持する把持部が設けられた把持手段と，該把持手段の移動を連続的に検出する検出部と，を有し，」を
　「前記検出手段は
，前
　ウ　訂正事項Ａ−３
　特許請求の範囲の請求項１の「前記把持手段は，前記把持部によって前記記録媒体もしくは前記載置部を把持することにより，前記記録媒体もしくは前記載置部の移動に連動して移動し，」を
「前記把持手段は，前記把持部によっ
て前
，前
　エ　訂正事項Ａ−４
　特許請求の範囲の請求項１の「前記制御手段は，前記移動手段によって前記記録媒体もしくは該記録媒体を載置する載置部が移動する場合に，前記把持手段が前記記録媒体もしくは該記録媒体を載置する載置部を把持するように制御し，」を
　「前記制御手段は，前記移動手段によって前記記録媒体もしくは該記録媒体を載置する載置部が移動する場合に，前記把持手段
が該
　オ　訂正事項Ａ−５
　特許請求の範囲の請求項１の「前記把持手段が移動したときの前記検出部による検出結果に基づいて，前記移動手段の移動の制御を行う」を
　「前記把持手段が移動したときの前記検出部による検出結果に基づいて，
前記移動手段の移動を補正しながら
　（２）訂正事項Ｂ
　訂正事項Ｂは，訂正前の請求項１ないし３を引用する請求項４を実質的に請求項２及び３の引用を削除した上で，請求項１を引用する請求項４を書き下した訂正をし，その上で，上記訂正事項Ａ−１及びＡ−５と同様の限定をする訂正をし，さらに，把持手段の把持部が把持する対象について択一的に記載されていた「記録媒体もしくは載置部」を「記録媒体」に訂正するものであって，
　特許請求の範囲の請求項４の「前記把持部は，上下方向に密着・解離可能に配設されていることを特徴とする請求項１〜３のいずれか一項に記載のインクジェット記録装置。」を
　「　
インクの液滴を吐出する記録ヘッドを備え，該記録ヘッドをガイドレールに沿って往復移動させながら，該記録ヘッドからインクの液滴を吐出して記録媒体に記録を行い，該記録媒体を載置する載置部により該記録媒体を該往復移動に交差する方向にスライド移動させる作動を繰り返すことにより，該記録媒体の印刷領域全体に所望の文字や図柄の印刷を行うインクジェット記録装置において，
　
前記記録媒体もしくは該記録媒体を載置する載置部を移動させる移動手段と，
　前記記録媒体もしくは前記載置部の移動を連続的に検出する検出手段と，
　前記移動手段および前記検出手段の制御を行う制御手段と，を備え，
　前記検出手段は，前記記録媒体を把持する
把持部が設けられた把持手段と，該把持手段の移動を連続的に検出する検出部と，を有し，
　
前記把持手段は，前記把持部によって前記記録媒体を把持することにより，前記記録媒体の移動に連動して移動し，
　前記制御手段は，
　前記移動手段によって前記記録媒体もしくは該記録媒体を載置する載置部が移動する場合に，前記把持手段が前記記録媒体を把持するように制御し，
　前記把持手段が移動したときの前記検出部による検出結果に基づいて，前記移動手段の移動を補正しながら前記移動手段の移動の制御を行うこと
　を特徴とする
　また，訂正後の請求項４に係る訂正について，特許権者は，当該訂正が認められるときに請求項１ないし３とは別の訂正単位として扱われることを求めている。
 
 （３）上記のとおり，本件訂正請求は，請求項１ないし４に係る一群の請求項について訂正が請求されている。
　２　訂正の適否についての判断 
　（１）訂正事項Ａについて
　ア　訂正事項Ａ−１は，訂正前の請求項１に記載の「インクの液滴を吐出する記録ヘッドを備え，該記録ヘッドからインクの液滴を吐出して記録媒体に記録を行うインクジェット記録装置」を「
該記録ヘッドをガイドレールに沿って往復移動させながら，
行い，該記録媒体を載置する載置部により該記録媒体を該往復移動に交差する方向にスライド移動させる作動を繰り返すことにより，該記録媒体の印刷領域全体に所望の文字や図柄の印刷を行
　そして，本件明細書の段落【００２１】には「・・・図２に示すように，上ボディ部１５の内部には左右に延びたガイドレール１６が設けられ，このガイドレール１６に対して左右に往復移動可能にヘッドユニット２０が取り付けられている。このヘッドユニット２０は，左右移動機構により駆動されて上ボディ部１５の内部においてガイドレール１６に沿って左右に搬送移動されるようになっている。」と記載され，同段落【００３８】には「通常印刷時において，インクジェット記録装置１０は，ベルト３０に載置された記録媒体Ｍに対して，ヘッドユニット２０をガイドレール１６に沿って左右に往復移動させながら，記録ヘッド２２の下面に設けられたノズルから下方に向けてインクの液滴を吐出させて，所望のパターンで記録媒体Ｍに付着させる。記録媒体Ｍ上の所定前後幅に対する印刷が完了すると，移動手段３１（駆動ローラである第１ローラ３１Ａおよび従動ローラである第２ローラ３１Ｂ）を駆動することによってベルト３０を前後にスライド移動させ，再びヘッドユニット２０を左右に往復移動させながら，インクの液滴を吐出させる。このような作動を繰り返すことにより，記録媒体Ｍの印刷領域全体に所望の文字や図柄が印刷される。」と記載されていることからすれば，上記訂正事項Ａ−１が本件明細書に記載された事項の範囲内における訂正であるといえるから，同条第９項で準用する同法第１２６条第５項の規定に適合するものである。
　イ　訂正事項Ａ−２ないしＡ−４について
　訂正事項Ａ−２ないしＡ−４は，いずれも，訂正前の請求項１において，把持手段の把持部が把持する対象として択一的に記載されていた「記録媒体」若しくは「載置部」から「記録媒体」を削除する訂正をするものであるから，これらの訂正事項は，特許法第１２０条の５第２項ただし書第１号に規定する特許請求の範囲の減縮を目的とするものに該当し，いずれも本件明細書，本件特許請求の範囲又は本件図面に記載した事項の範囲内でするものであることは明らかであるから，同条第９項で準用する同法第１２６条第５項の規定に適合するものである。
　ウ　訂正事項Ａ−５について
  訂正事項Ａ−５は，請求項１の「制御手段」に関して，訂正前の請求項１において，「制御手段」が「把持手段が移動したときの前記検出部による検出結果に基づいて，前記移動手段の移動の制御を行う」ものとの特定を「把持手段が移動したときの前記検出部による検出結果に基づいて，前記移動手段の移動を補正しながら前記移動手段の移動の制御を行う」ものとより具体的に特定する訂正をするものであるから，訂正事項Ａ−５は，特許法第１２０条の５第２項ただし書第１号に規定する特許請求の範囲の減縮を目的とするものに該当する。
　そして，本件明細書の段落 【００１１】には「・・・前記制御手段は，前記移動手段によって前記記録媒体もしくは該記録媒体を載置する載置部が移動する場合に，前記把持手段が前記記録媒体もしくは該記録媒体を載置する載置部を把持するように制御し，前記把持手段が移動したときの前記検出部による検出結果に基づいて，前記移動手段の移動の制御を行うことを特徴とする。これによれば，把持手段は，把持部によって載置部を把持することにより，載置部の移動に連動して移動することとなる。したがって，このときの把持手段の移動量を検出部によって連続的に検出することにより，極めて正確に載置部の移動量を検出することが可能となる。当該検出値に基づいて移動手段の移動を補正しながら制御することによって，載置部に載置された記録媒体の正確な位置決めが可能となるため，高画質の記録を行うことが可能となる。」と記載され，段落【００３１】には「上記の構成によれば，移動手段３１の駆動によりベルト３０が移動する際に，コントロールユニット２８からの制御信号によって把持部４４でベルト３０を把持させることにより，移動するベルト３０に連動して把持手段４２が前後方向に移動する作用が得られる。」と記載され，同段落【００３２】には「また，検出部４８は，把持手段４２が前後方向に移動する際に，当該移動（移動量）を連続的に検出する構成を備えている。より具体的には，本実施形態に係る検出部４８としてのリニアスケールは，ヘッド部４８ａおよびスケール部４８ｂを備えて構成されている。このリニアスケール４８によって，把持手段４２の前後方向の移動（移動量）が検出可能となっている。」と記載され，同段落【００３３】には「これによれば，把持手段４２は把持部４４によってベルト３０を把持した状態で当該ベルト３０と連動して前後方向に移動するため，把持手段４２の移動量を検出することで，ベルト３０の移動量を検出することができる。本実施形態においては上記の通り，リニアスケール４８によって検出を行うことができるため，従来のエンコーダ等による検出機構と比較して，極めて正確にベルト３０の移動量を検出することが可能となる。」と記載され，同段落【００３４】には「より詳しくは，例えば従来のエンコーダによる検出機構の場合，無端状のベルトには繋ぎ目が存在してベルトの厚さ変動が生じるため，当該ベルトの厚さ変動が原因となって検出値に誤差が生じてしまう課題があった。しかし，本実施形態によれば，ベルト３０の移動量を把持手段４２の移動量としてリニアスケール４８によって検出することができるため，上記のような検出誤差の課題を解決することが可能となる。また，従来の方式において課題となっていたベルトの表面粗さに起因するすべりの発生を原因とする検出誤差に対しても，本実施形態によれば，把持部４４がベルト３０を把持して当該ベルト３０に連動して移動する構成によって解決することが可能となる。 さらには，従来の方式において課題となっていたベルトの蛇行を原因とする検出誤差に対しても，本実施形態によれば，把持部４４がベルト３０を把持して当該ベルト３０に連動して移動する構成で，且つ，ベルト３０の移動量を左右二つの検出手段４０Ａ，４０Ｂによって検出す���構成によって解決することが可能となる。」と記載され，同段落【００３５】には「このように，検出手段４０によって極めて正確にベルト３０の実際の移動量を検出することが可能となる。したがって，当該検出値に基づいて移動手段３１の移動（すなわち電気モータ３５の駆動）を精緻に補正しながら，ベルト３０すなわちベルト３０に載置された記録媒体Ｍが正確な位置となるように移動手段３１の移動（すなわち電気モータ３５の駆動）の制御を行うことが可能となる。その結果，記録媒体Ｍへの高画質の記録を行うことが可能となる。」と記載されていることからすれば，本件明細書には，「制御手段」が「把持手段が移動したときの前記検出部による検出結果に基づいて，前記移動手段の移動を補正しながら前記移動手段の移動の制御を行う」ことが記載されているものといえるから，同条第９項で準用する同法第１２６条第５項の規定に適合するものである。
　エ　以上のとおり，訂正事項Ａ−１ないしＡ−５はいずれも特許請求の範囲の減縮を目的とするものであるから，これらの訂正が実質的に特許請求の範囲を拡張するものではないことは明らかであり，これらの訂正事項による訂正により，訂正後の請求項１に係る発明の解決しようとする課題が訂正前の請求項１に係る発明の課題と異なるものとなるものでもないことに鑑みると，特許請求の範囲を実質的に変更するものに該当するものでもないことは明らかである。
　したがって，訂正事項Ａ−１ないしＡ−５による訂正は，特許法第１２０条の５第９項で準用する同法第１２６条第６項の規定に適合するものである。
　（２）訂正事項Ｂについて
　訂正事項Ｂは，上記１の（２）において説示したように，訂正前の請求項１ないし３を引用する請求項４を実質的に請求項２及び３の引用を削除した上で，請求項１を引用する請求項４を書き下した訂正をし，その上で，上記訂正事項Ａ−１及びＡ−５と同様の限定をする訂正をし，さらに，把持手段の把持部が把持する対象について択一的に記載されていた「記録媒体もしくは載置部」を「記録媒体」とする訂正をするものである。
　ア　訂正前の請求項１ないし３を引用する請求項４を実質的に請求項２及び３の引用を削除した上で，請求項１を引用する請求項４を書き下した訂正について（以下，訂正事項Ｂ−１という。）
　訂正事項が，特許法第１２０条の５第２項ただし書第４号に該当するためには，（ａ）当該訂正により他の請求項の記載を引用する請求項の記載を当該他の請求項の記載を引用しないものとされることに加えて，（ｂ）当該他の請求項の記載を引用しないものとした訂正後の発明が，訂正前の他の請求項の記載を引用する請求項から把握される対応する発明の発明特定事項を欠くものではないことという，２つの条件を充足することが必要であると解される。
　本件訂正事項Ｂ−１は，訂正前の請求項１ないし３を引用する請求項４を請求項１を引用する請求項４を書き下した訂正をするものであり，請求項１ないし３を引用しないものへと訂正するものであるから，上記（ａ）を充足することは明らかであり，また，訂正後の請求項４は，訂正前の請求項１を引用する請求項４に対応するものであり，後述するように，訂正後の請求項４に係る発明は，訂正前の請求項１を引用する請求項４に係る発明をさらに減縮するものであるから，（ｂ）の条件を充足することは明らかである。
　そして，請求項４について，実質的に請求項２及び３の引用を削除する訂正は，他の請求項を択一的に引用している請求項について，択一的に引用している請求項を削除する訂正は，特許法第１２０条の５第２項ただし書第１号に規定する特許請求の範囲の減縮を目的とするものに該当する。
　そして，当該訂正Ｂ−１は，本件明細書，本件特許請求の範囲又は本件図面に記載した事項の範囲内でするものであることは明らかであるから，同条第９項で準用する同法第１２６条第５項の規定に適合するものである。
　ウ　請求項４について，上記訂正事項Ａ−１及びＡ−５と同様の限定をする訂正について（以下，「訂正事項Ｂ−２」という。）
　訂正事項Ｂ−２は，書き下した訂正前の請求項１を引用する請求項４の「インクの液滴を吐出する記録ヘッドを備え，該記録ヘッドからインクの液滴を吐出して記録媒体に記録を行うインクジェット記録装置において，」を「インクの液滴を吐出する記録ヘッドを備え，
該記録ヘッドをガイドレールに沿って往復移動させながら，
い，該記録媒体を載置する載置部により該記録媒体を該往復移動に交差する方向にスライド移動させる作動を繰り返すことにより，該記録媒体の印刷領域全体に所望の文字や図柄の印刷を行う
前記移動手段の移動を補正しながら
  エ　請求項４について，把持手段の把持部が把持する対象について択一的に記載されていた「記録媒体もしくは載置部」を「記録媒体」とする訂正について（以下，「訂正事項Ｂ−３」という。）
　訂正事項Ｂ−３は，いずれも，訂正前の請求項１を引用する請求項４において，把持手段の把持部が把持する対象として択一的に記載されていた「記録媒体」もしくは「載置部」から「載置部」を削除する訂正をするものであるから，これらの訂正事項は，特許法第１２０条の５第２項ただし書第１号に規定する特許請求の範囲の減縮を目的とするものに該当し，いずれも本件明細書，本件特許請求の範囲又は本件図面に記載した事項の範囲内でするものであることは明らかであるから，同条第９項で準用する同法第１２６条第５項の規定に適合するものである。
　オ　以上のとおり，訂正事項Ｂ−１ないしＢ−３は，特許法第１２０条の５第２項ただし書第４号に規定する他の請求項の記載を引用する請求項の記載を当該他の請求項の記載を引用しないものとすることを目的とするもの又は同項ただし書第１号に規定する特許請求の範囲の減縮を目的とするものに該当するものであり，また，訂正後の請求項４に係る発明は，上述のとおり，訂正前の請求項１を引用する請求項４に係る発明をさらに減縮するものであるから，これらの訂正が実質的に特許請求の範囲を拡張するものではないことは明らかであり，これらの訂正事項による訂正により，訂正後の請求項４に係る発明の解決しようとする課題が訂正前の請求項１を引用する請求項４に係る発明の課題と異なるものとなるものでもないことに鑑みると，特許請求の範囲を実質的に変更するものに該当するものでもないことは明らかである。
　したがって，訂正事項Ｂによる訂正は，特許法第１２０条の５第９項で準用する同法第１２６条第６項の規定に適合するものである。
　なお，訂正事項Ｂ，すなわち，請求項４に係る訂正について，特許権者は，当該訂正が認められるときに請求項１ないし３とは別の訂正単位として扱われることを求めているものである。
　３　むすび 
　以上のとおりであるから，本件訂正請求による訂正は，特許法第１２０条の５第２項ただし書第１号又は第４号に規定する事項を目的とするものであり，かつ，同条第９項において準用する同法第１２６条第５項及び第６項の規定に適合するので，本件特許請求の範囲を，本件訂正請求書に添付された訂正特許請求の範囲のとおり，訂正後の請求項［１ないし３］，４について訂正することを認める。 
  
第３　当審の判断 
　１　取消理由通知（決定の予告）の概要
　平成３０年５月１５日付けで当審が特許権者に通知した取消理由通知（決定の予告）（以下，「本件決定の予告」という。）の取消理由の概要は次のとおりのものである。
　請求項１，３及び４に係る発明は，甲１号証に記載された発明及び甲３号証に記載された発明に基づいて，請求項２に係る発明は，甲１号証に記載された発明及び甲３号証に記載された発明又は甲１号証に記載された発明並びに甲３号証及び甲７号証に記載された発明に基づいて，いずれも当業者が容易に発明をすることができたものであるから，請求項１ないし４に係る特許は，特許法第２９条第２項の規定に違反してされたものであり，同法第１１３条第２号に該当し取り消されるべきものである。　　
　２　本件訂正請求による訂正後の請求項１〜４に係る発明 
　上記第２の訂正の適否についての判断において説示したように，本件訂正請求による訂正が認められることから本件訂正請求による訂正後の請求項１ないし４に係る発明（以下，それぞれ「本件訂正発明１」ないし「本件訂正発明４」という。）は以下のとおりのものである。
 「【請求項１】 
 　インクの液滴を吐出する記録ヘッドを備え，該記録ヘッドをガイドレールに沿って往復移動させながら，該記録ヘッドからインクの液滴を吐出して記録媒体に記録を行い，該記録媒体を載置する載置部により該記録媒体を該往復移動に交差する方向にスライド移動させる作動を繰り返すことにより，該記録媒体の印刷領域全体に所望の文字や図柄の印刷を行うインクジェット記録装置において， 
　前記記録媒体もしくは該記録媒体を載置する載置部を移動させる移動手段と，
　前記記録媒体もしくは前記載置部の移動を連続的に検出する検出手段と，
　前記移動手段および前記検出手段の制御を行う制御手段と，を備え，
　前記検出手段は，前記載置部を把持する把持部が設けられた把持手段と，該把持手段の移動を連続的に検出する検出部と，を有し，
　前記把持手段は，前記把持部によって前記載置部を把持することにより，前記記録載置部の移動に連動して移動し，
　前記制御手段は，
　前記移動手段によって前記記録媒体若しくは該記録媒体を載置する載置部が移動する場合に，前記把持手段が該記録媒体を載置する載置部を把持するように制御し，
　前記把持手段が移動したときの前記検出部による検出結果に基づいて，前記移動手段の移動を補正しながら前記移動手段の移動の制御を行うこと
　を特徴とするインクジェット記録装置。
【請求項２】 
　前記移動手段を駆動させることによって，または前記把持手段を駆動させることによって前記記録媒体もしくは前記載置部を移動させる駆動力を発生する駆動手段を備えることを特徴とする請求項１記載のインクジェット記録装置。 
【請求項３】 
　前記移動手段は，一対のローラであり， 
　前記載置部は，前記一対のローラに掛け回されたベルトであること 
を特徴とする請求項１または請求項２に記載のインクジェット記録装置。 
【請求項４】 
 インクの液滴を吐出する記録ヘッドを備え，該記録ヘッドをガイドレールに沿って往復移動させながら，該記録ヘッドからインクの液滴を吐出して記録媒体に記録を行い，該記録媒体を載置する載置部により該記録媒体を該往復移動に交差する方向にスライド移動させる作動を繰り返すことにより，該記録媒体の印刷領域全体に所望の文字や図柄の印刷を行うインクジェット記録装置において， 
　前記記録媒体もしくは該記録媒体を載置する載置部を移動させる移動手段と，
　前記記録媒体もしくは前記載置部の移動を連続的に検出する検出手段と，
　前記移動手段および前記検出手段の制御を行う制御手段と，を備え，
　前記検出手段は，前記記録媒体を把持する上下方向に密着・解離可能に配設されている把持部が設けられた把持手段と，該把持手段の移動を連続的に検出する検出部と，を有し，
　前記把持手段は，前記把持部によって前記記録媒体を把持することにより，前記記録媒体の移動に連動して移動し，
　前記制御手段は，
　前記移動手段によって前記記録媒体若しくは該記録媒体を載置する載置部が移動する場合に，前記把持手段が前記記録媒体を把持するように制御し，
　前記把持手段が移動したときの前記検出部による検出結果に基づいて，前記移動手段の移動を補正しながら前記移動手段の移動の制御を行うこと
　を特徴とするインクジェット記録装置。」
 　 
　３　甲各号証の記載 
　（１）甲１号証 
　本件決定の予告の取消理由で引用した甲１号証（特開２００６−２８１７５０号公報）には，次の事項が記載されている。 
　ア　「用紙を搬送する用紙搬送ベルトと， 
　該用紙搬送ベルトを駆動する駆動手段と， 
　
前記用紙搬送ベルトに設けられており，位置情報が示されると共にその一部にスケール継ぎ目が存在するスケールと，
　
前記スケールから位置情報を読み取る位置検出手段と，
　
前記位置検出手段からの出力から位置情報を生成し，該位置情報に基づき前記駆動手段を制御して前記用紙搬送ベルトの駆動制御を行う制御手段とを有する画像形成装置において， 
　前記位置検出手段として前記スケールから位置情報を読み取る第１のセンサーと第２のセンサーを設けると共に，該第１及び第２のセンサーを前記スケール継ぎ目の隙間以上に離間するよう配設し，
　かつ，前記制御手段が，前記第１のセンサーから出力される第１のセンサー出力及び第２のセンサーから出力される第２のセンサー出力に重み付けを行った後に合成したものを位置情報として用いるよう構成した
　イ　「このセンサー８は検出装置９に接続されており，この検出装置９ではセンサー８から送られるセンサー出力に基づき，紙搬送ベルト２の移動に対応して発生する正弦波状の山の数（パルス数）をカウントする。
この紙搬送ベルト２の移動に対応したカウント値は，制御装置１０に送られ，制御装置１０はこれに基づきモータ３を駆動制御する駆動装置１１を制御する。これにより，紙搬送ベルト２の移動速度は規定の速度に制御され，よって高品質の画像生成が可能となる。
　ウ　「図２は，本発明の一実施例である画像形成装置２０を示す構成図である。同図に示す
画像形成装置２０は，モータ２３により駆動ローラ２４を駆動し，これにより駆動ローラ２４と従動ローラ２５との間に配設された紙搬送ベルト２２を回転させ，紙搬送ベルト２２上に載置された用紙
を搬送する機構とされている
　エ　「
ＩＪキャリッジ２６は，紙搬送ベルト２２の上面（即ち，用紙上）を矢印Ｘ方向に移動可能な構成とされ
紙搬送ベルト２２により用紙が搬送される過程においてＩＪキャリッジ２６はＹ方向に移動し，その過程において用紙に対し印刷（画像形成）を行う
　オ　「加算器５０は，スケール継ぎ目３７の検出信号に基づき，カウンタ４４から送られる第１のセンサー出力に基づくカウントと，カウンタ４５から送られる第１のセンサー出力に基づくカウントとを重み付けして乗算器４９に送る。乗算器４９では，第２の補正器５２で求められる補正係数（これについては後述する）を乗算することにより補正処理を行う。上記のようにして生成された
カウント値（以下，カウント値Ｙという）は，制御装置３０に送られる。そして，制御装置３０では，検出装置２９から送られるカウント値Ｙに基づきモータ２３の駆動制御を行う。
　カ　上記イには，従来技術において，制御装置がカウント値に基づいて紙搬送ベルトの移動速度を規定の速度に制御していることが記載され，一方，上記オには，発明を実施するための最良の形態において，制御装置がカウント値に基づいてモータを駆動制御，すなわちモータにより駆動される紙搬送ベルト（用紙搬送ベルト）の移動を制御していることが記載されているから，上記イの記載を踏まえると，「制御装置がカウント値に基づいて紙搬送ベルトの移動速度を規定の速度に制御している」といえる。
　してみると，上記「制御装置」に相当する上記アの請求項１に記載の
「制御手段」は，「用紙搬送ベルトの移動を補正しながら用紙搬送ベルトの移動を制御している」
　キ　これらの記載を総合すると，甲１号証には，次の発明（以下，「引用発明１」という。）が記載されているものと認められる。 
 　「モータ２３により駆動ローラ２４を駆動し，これにより駆動ローラ２４と従動ローラ２５との間に配設された紙搬送ベルト２２を回転させ，紙搬送ベルト２２上に載置された用紙を搬送する機構と， 
　用紙に対し印刷（画像形成）を行うＩＪキャリッジ２６と， 
　ＩＪキャリッジ２６は，紙搬送ベルト２２の上面（即ち，用紙上）を矢印Ｘ方向に移動可能な構成とされ，紙搬送ベルト２２により用紙が搬送される過程においてＩＪキャリッジ２６はＹ方向に移動し，その過程において用紙に対し印刷（画像形成）を行うものであり，
　ベルトに設けられており，位置情報が示されると共にその一部にスケール継ぎ目が存在するスケールと， 
　前記スケールから位置情報を読み取る位置検出手段と， 
　前記位置検出手段からの出力から位置情報を生成し，該位置情報に基づき前記駆動手段を制御して前記用紙搬送ベルトの移動を補正しながら前記用紙搬送ベルトの駆動制御を行う制御手段とを有する画像形成装置において， 
　前記位置検出手段として前記スケールから位置情報を読み取る第１のセンサーと第２のセンサーを設けると共に，該第１及び第２のセンサーを前記スケール継ぎ目の隙間以上に離間するよう配設し，かつ，前記制御手段が，前記第１のセンサーから出力される第１のセンサー出力及び第２のセンサーから出力される第２のセンサー出力に重み付けを行った後に合成したものを位置情報として用いるよう構成した画像形成装置。」 
　ク　特許権者は，「引用発明１の「制御手段」は，引用例１の段落【０００５】に記載されているとおり，「紙搬送ベルト２の移動に対応して発生する正弦波状の山の数（パルス数）をカウントする。この紙搬送ベルト２の移動に対応したカウント値は，制御装置に送られ，制御装置１０はこれに基づきモータ３を駆動制御する駆動装置１１を制御する。これにより，紙搬送ベルト２の移動速度は規定の速度に制御され」るものである。つまり，引用発明１においては，「紙搬送ベルト２」はパルス数に応じて「規定」の移動速度で移動するよう制御されているにすぎず，その「移動を補正しながら」制御されるものではない」と主張している。（特許権者意見書６頁）
　（ア）そこで，本件各訂正発明における「前記移動手段の移動を補正しながら前記移動手段の移動の制御を行う」ことの意味する内容について検討する。
　本件特許明細書には，「移動手段の移動を補正しながら，移動手段の移動の制御を行う」ことに関して，「【００１１】・・・把持手段は，把持部によって載置部を把持することにより，載置部の移動に連動して移動することとなる。したがって，このときの把持手段の移動量を検出部によって連続的に検出することにより，極めて正確に載置部の移動量を検出することが可能となる。当該検出値に基づいて移動手段の移動を補正しながら制御することによって，載置部に載置された記録媒体の正確な位置決めが可能となるため，高画質の記録を行うことが可能となる。」，「【００３３】これによれば，把持手段４２は把持部４４によってベルト３０を把持した状態で当該ベルト３０と連動して前後方向に移動するため，把持手段４２の移動量を検出することで，ベルト３０の移動量を検出することができる。本実施形態においては上記の通り，リニアスケール４８によって検出を行うことができるため，従来のエンコーダ等による検出機構と比較して，極めて正確にベルト３０の移動量を検出することが可能となる。」，「【００３５】このように，検出手段４０によって極めて正確にベルト３０の実際の移動量を検出することが可能となる。したがって，当該検出値に基づいて移動手段３１の移動（すなわち電気モータ３５の駆動）を精緻に補正しながら，ベルト３０すなわちベルト３０に載置された記録媒体Ｍが正確な位置となるように移動手段３１の移動（すなわち電気モータ３５の駆動）の制御を行うことが可能となる。その結果，記録媒体Ｍへの高画質の記録を行うことが可能となる。」との記載があり，これらの記載によれば，本件各訂正発明の「前記把持手段が移動したときの前記検出部による検出結果に基づいて，前記移動手段の移動を補正しながら・・・制御を行う」とは，従来のエンコーダ等による検出機構と比較して，極めて正確にベルトの実際の移動量を検出する把持手段の移動を検出する検出手段の検出値に基づいて移動手段の移動を精緻に制御することが含まれるものと解される。
　（イ）そして，上記カにおいて検討したように，引用発明１においては，制御装置がカウント値に基づいて紙搬送ベルトの移動速度を規定の速度に制御していることが記載され，一方，上記オには，発明を実施するための最良の形態において，制御装置がカウント値に基づいてモータを駆動制御，すなわちモータにより駆動される紙搬送ベルト（用紙搬送ベルト）の移動を制御していることが記載されており（なお，この点が甲１号証に記載されていることは特許権者も認めているところである。），ここでの「紙搬送ベルトの移動に対応して発生する正弦波状の山の数（パルス数）」である制御装置がカウントするカウント値とは，紙搬送ベルトの内側に配設されているベルト１周にわたってベルト位置を計測するリニアスケールの読み取りパルスのカウントである（甲１号証の段落【０００４】等の記載を参照）から，従来のエンコーダに比較して，紙搬送ベルトの実際の移動量を精緻に制御することが可能なものであることは明らかである。
　したがって，甲１号証には，本件各訂正発明と同様に，「検出手段によって極めて正確にベルトの実際の移動量を検出することが可能」であり，「当該検出値に基づいて移動手段の移動を精緻に補正しながら，ベルトが正確な位置となるように移動手段の移動の制御を行う」ものが記載されているというべきであるから，特許権者の主張は採用することができない。
　（２）甲３号証 
　本件決定の予告の取消理由で引用した甲３号証（特許第２５１６６９４号公報）には，次の事項が記載されている。 
　ア　「
エンドレスベルトを間欠駆動するための直流モータ或いは交流サーボモータ，エンドレスベルトのリピート長をパルス数に変換設定するためのデジタルスイッチ，エンドレスベルトの移動に伴ってその実際の送り長さをパルス数として直線的に検出するリニアスケールを用いるエンドレスベルトの送り長さ検出機構，前記設定パルス数に対応して，モータへの起動，加速駆動，低速駆動及び減速駆動，停止の信号を発信させるためのデジタル制御機構，及び前記デジタル制御機構からの信号に基づいて，前記モータへの入力を制御して，該モータを起動，加速駆動，低速駆動及び減速駆動，停止させるためのモータ制御機構より成り， 
　前記エンドレスベルトの送り長さ検出機構が，エンドレスベルトの側縁を開放自在に挟持するクランプ機構，クランプ機構をエンドレスベルトと共に移動可能に支承する移動機構，移動したクランプ機構を原点位置に戻す復帰機構，及びパルス検知ヘッドとパルス検知ヘッドの移動に伴いその移動距離をパルス数として直線的に検出するリニアメインスケールより成るリニアスケールを備えており，且つ該リニアスケールはエンドレスベルトの側方に平行して機台に配設され，該パルス検知ヘッドが前記クランプ機構に一体に取付けられているものであり，
　前記デジタル制御機構は，前記設定パルス数から検出パルス数を減算演算し，設定パルス数に対応するリピート長でエンドレスベルトを停止させるように減速信号を発生する演算機構を備えていることを特徴とする
自動スクリーン捺染機におけるエンドレスベルトの間欠的駆動装置
　イ　「
クランプ機構１０は，エンドレスベルト４の間欠駆動に先立ち，エンドレスベルト４の一側縁部を挟持し，エンドレスベルト４の間欠駆動時エンドレスベルト４と共に移動する。１リピート長の移動を終了するとエンドレスベルト４は止まり，その時点で直ちにクランプ機構１０はエンドレスベルト４の挟持を開放する
　ウ　「エンドレスベルトの間欠的駆動は，第４図に示す自動スクリーン捺染機の捺染運転時の各動作のタイムチャートに示されるようなプログラムによって自動的に行なわれる。」（４頁７欄３１〜３４行） 
　エ　「
機台１の一端には，駆動ローラ２が，他端には被動ローラ３が設けられ，この両ローラ間にエンドレスベルト４が張架されている。
 　
駆動ローラ２は
駆動モータ５により間欠駆動が行なわれ，これに従ってエンドレスベルト４も
間欠駆動される。
　オ　「
間欠搬送される被染布８に対し，公知方法のスキージ操作により捺染を施す。
　カ　「
クランプ機構１０は，ブラケット１３，これに固着されたクランプ用エアーシリンダ１４及びエアーシリンダ１４のピストンロッド１５に固着され，共に上下動するクランププレート１６から成っている。
　キ　第４図から，「エンドレスベルト間欠送り，クランプシリンダーのＯＮ，ＯＦＦ等の捺染運転時の１サイクルにおけるタイムチャート」が看取できる。 
　ク　上記ウ及びキの記載を踏まえると，自動スクリーン捺染機の捺染運転時のエンドレスベルト間欠送り，クランプシリンダーのＯＮ，ＯＦＦ等の動作のタイムチャートは，プログラムによって自動的に行われるから，
「エンドレスベルト間欠送り及びクランプシリンダーのＯＮ，ＯＦＦ等の一連の動作の制御は，制御手段が行っている」
　ケ　上記アの記載から，
「エンドレスベルトの間欠的駆動装置を備えた自動スクリーン捺染機」
　コ　これらの記載を総合すると，甲３号証には，次の発明（以下，「引用発明３」という。）が記載されているものと認められる。 
　「エンドレスベルトを間欠駆動するための直流モータ或いは交流サーボモータ，エンドレスベルトのリピート長をパルス数に変換設定するためのデジタルスイッチ，エンドレスベルトの移動に伴ってその実際の送り長さをパルス数として直線的に検出するリニアスケールを用いるエンドレスベルトの送り長さ検出機構，前記設定パルス数に対応して，モータへの起動，加速駆動，定速駆動及び減速駆動，停止の信号を発信させるためのデジタル制御機構，及び前記デジタル制御機構からの信号に基づいて，前記モータへの入力を制御して，該モータを起動，加速駆動，低速駆動及び減速駆動，停止させるためのモータ制御機構より成り， 
　前記エンドレスベルトの送り長さ検出機構が，エンドレスベルトの側縁を開放自在に挟持するクランプ機構，クランプ機構をエンドレスベルトと共に移動可能に支承する移動機構，移動したクランプ機構を原点位置に戻す復帰機構，及びパルス検知ヘッドとパルス検知ヘッドの移動に伴いその移動距離をパルス数として直線的に検出するリニアメインスケールより成るリニアスケールを備えており，且つ該リニアスケールはエンドレスベルトの側方に平行して機台に配設され，該パルス検知ヘッドが前記クランプ機構に一体に取付けられているものであって， 
　クランプ機構は，ブラケット１３，これに固着されたクランプ用エアーシリンダ１４及びエアーシリンダ１４のピストンロッド１５に固着され，共に上下動するクランププレート１６から成り，エンドレスベルトの間欠駆動に先立ち，エンドレスベルトの一側縁部を挟持し，エンドレスベルトの間欠駆動時エンドレスベルトと共に移動し，１リピート長の移動を終了するとエンドレスベルトは止まり，その時点で直ちにクランプ機構はエンドレスベルトの挟持を開放し， 
　制御手段は，エンドレスベルト間欠送り及びクランプシリンダーのＯＮ，ＯＦＦ等の動作の制御を行い， 
　機台の一端には，駆動ローラが，他端には被動ローラが設けられ，この両ローラ間にエンドレスベルトが張架されており，駆動ローラは駆動モータにより間欠駆動が行なわれ，これに従ってエンドレスベルトも間欠駆動され，
　間欠搬送される被染布に対し，捺染を施す， 
　エンドレスベルトの間欠的駆動装置を備えた自動スクリーン捺染機。」 
　
　（３）甲７号証 
　本件決定の予告の取消理由で引用した甲７号証（特開平４−７１７９号公報）には，次の事項が記載されている。 
　ア　「
プラテンローラとこのプラテンローラに圧接可能に対向配置された感熱記録ヘッドとからなる記録部と， 
　
被転写体である記録用紙に重ねあわされて前記プラテンローラと感熱記録ヘッドとの間の転写部に挿通され記録用紙の移動と同調して移動する複数色のインクが付着された転写型記録媒体と， 
　
を有し，前記感熱記録ヘッドによって前記転写型記録媒体の複数のインクを選択的に転写して記録を行うカラーサーマルプリンタにおいて， 
　
前記プラテンローラと所定間隔をおいて平行に配置されたサポートローラとの間にベルトが懸架された回転自在の記録用紙搬送手段と， 
　
その記録用紙搬送手段の搬送面のベルトと記録用紙とを固定又は固定解除可能に保持するグリッパと， 
　
そのグリッパを前記転写部近傍から所定範囲の間を位置制御可能に揺動させるグリッパ移動手段と， 
　
を備え，前記グリッパで前記記録用紙搬送手段のベルトと記録用紙とを固定して前記グリッパ移動手段で移動させつつ記録用紙の搬送及び転写を行うようにした
カラーサーマルプリンタ
　イ　「
前記グリッパ移動手段は，
グリッパ３０端部にネジ溝３７が切られ，そのネジ溝３７と係合してグリッパ３０を図の左右方向に移動させる回転可能なボールネジ３６と，そのボールネジ３６と一体化して回転する従動プーリ４０と，その従動プール４０に回転力を伝えるベルト４２と，そのベルト４２を回転駆動させる駆動プーリ４４及び駆動モータ４６とで構成されている。
　ウ　これらの記載を総合すると，甲７号証には，次の発明（以下，「引用発明７」という。）が記載されているものと認められる。 
　「プラテンローラとこのプラテンローラに圧接可能に対向配置された感熱記録ヘッドとからなる記録部と， 
　被転写体である記録用紙に重ねあわされて前記プラテンローラと感熱記録ヘッドとの間の転写部に挿通され記録用紙の移動と同調して移動する複数色のインクが付着された転写型記録媒体と， 
　を有し，前記感熱記録ヘッドによって前記転写型記録媒体の複数のインクを選択的に転写して記録を行うカラーサーマルプリンタにおいて， 
　前記プラテンローラと所定間隔をおいて平行に配置されたサポートローラとの間にベルトが懸架された回転自在の記録用紙搬送手段と， 
　その記録用紙搬送手段の搬送面のベルトと記録用紙とを固定又は固定解除可能に保持するグリッパと， 
　そのグリッパを前記転写部近傍から所定範囲の間を位置制御可能に揺動させるグリッパ移動手段と， 
　を備え， 
　前記グリッパ移動手段は，グリッパ端部にネジ溝が切られ，そのネジ溝と係合してグリッパを移動させる回転可能なボールネジと，そのボールネジと一体化して回転する従動プーリと，その従動プールに回転力を伝えるベルトと，そのベルトを回転駆動させる駆動プーリ及び駆動モータとで構成されており， 
　前記グリッパで前記記録用紙搬送手段のベルトと記録用紙とを固定して前記グリッパ移動手段で移動させつつ記録用紙の搬送及び転写を行うようにしたカラーサーマルプリンタ。」 
 　 
　４　判断 
 　（１）本件訂正発明１について 
 　ア　対比 
　本件訂正発明１と引用発明１とを対比する。
　（ア）引用発明１の「ＩＪキャリッジ２６」は，その構造，機能，作用等からみて，本件訂正発明１の「記録ヘッド」に相当し，以下同様に，「用紙」は「記録媒体」に，「画像形成装置」は「インクジェット記録装置」に，「『紙搬送ベルト２２』及び『用紙搬送ベルト』」は「載置部」に，「『駆動ローラ２４』及び『従動ローラ２５』」は「移動手段」に，「『スケール』及び『位置検出手段』」は「『検出手段』及び『検出部』」に，「制御手段」は「制御手段」に，それぞれ相当する。 
　（イ）引用発明１の「ＩＪキャリッジ２６」は，紙搬送ベルト２２の上面（即ち，用紙上）を矢印Ｘ方向に移動可能な構成とされ，紙搬送ベルト２２により用紙が搬送される過程においてＩＪキャリッジ２６はＹ方向に移動し，その過程において用紙に対し印刷（画像形成）を行うものであるから，引用発明１の「ＩＪキャリッジ２６」は，「Ｘ方向に往復移動させながら」印字を行うものであり，Ｙ方向に記録媒体を移動させることにより，印刷範囲に対して印刷を行うものであることは明らかである。
　してみると，本件訂正発明１と引用発明１とは，「インクの液滴を吐出する記録ヘッドを備え，該記録ヘッドを往復移動させながら，該記録ヘッドからインク液滴を吐出して記録媒体に記録を行い，該記録媒体を載置する載置部により記録媒体を該往復移動に交差する方向に移動させることにより，該記録媒体の印刷領域全体に所望の文字や図柄の印刷を行う」ものである点で共通するものといえる。
　（ウ）ａ　引用発明１の「制御手段」は，位置検出手段からの出力から生成された位置情報に基づき，モータ２３により駆動される駆動ローラ２４と従動ローラ２５との間に配設された紙搬送ベルト２２の駆動制御を行うから，「モータ２３により駆動される駆動ローラ２４と従動ローラ２５」からなる「紙搬送ベルト２２」の移動手段を備え，「位置検出手段による検出結果に基づいて」移動手段である「駆動ローラ２４及び従動ローラ２５の移動の制御を行っている」といえる。
　ｂ　引用発明１の「位置検出手段」は，用紙搬送ベルトに設けられたスケールからの位置情報を読み取るから，「用紙搬送ベルトの移動を連続的に検出する」といえる。 
　ｃ　引用発明１の「制御手段」は，位置検出手段からの出力から位置情報を生成し，該位置情報に基づき駆動手段を制御して用紙搬送ベルトの移動を補正しながら前記用紙搬送ベルトの駆動制御を行うから，「位置検出手段による検出結果に基づいて，用紙搬送ベルトを回転させる駆動ローラと従動ローラの移動を補正しながら前記駆動ローラと前記従動ローラの移動を制御している」といえる。 
  ｄ　以上のことを総合すると，引用発明１は，「モータにより駆動される駆動ローラと従動ローラ」からなる「用紙搬送ベルト」の移動手段と，「用紙搬送ベルトの移動を連続的に検出する位置検出手段」と，「前記駆動ローラと前記従動ローラの移動を制御する制御手段」とを備え，「制御手段」は，「用紙搬送ベルトの移動を連続的に検出する位置検出手段による検出結果に基づいて，用紙搬送ベルトを移動させる駆動ローラと従動ローラの移動を補正しながら前記駆動ローラと前記従動ローラの移動を制御している」ものを備えているといえる。
　ｅ　してみると，本件訂正発明１が「前記記録媒体もしくは該記録媒体を載置する載置部を移動させる移動手段と，前記記録媒体もしくは前記載置部の移動を連続的に検出する検出手段と，前記移動手段および前記検出手段の制御を行う制御手段と，を備え，前記検出手段は，前記載置部を把持する把持部が設けられた把持手段と，該把持手段の移動を連続的に検出する検出部と，を有し，前記把持手段は，前記把持部によって前記載置部を把持することにより，前記記録載置部の移動に連動して移動し，前記制御手段は，前記移動手段によって前記記録媒体もしくは該記録媒体を載置する載置部が移動する場合に，前記把持手段が該記録媒体を載置する載置部を把持するように制御し，前記把持手段が移動したときの前記検出部による検出結果に基づいて，前記移動手段の移動を補正しながら前記移動手段の移動の制御を行う」ものであることと，
　引用発明１が「モータにより駆動される駆動ローラと従動ローラ」からなる「用紙搬送ベルト」の移動手段と，「用紙搬送ベルトの移動を連続的に検出する位置検出手段」と，「前記駆動ローラと前記従動ローラの移動を制御する制御手段」とを備え，「制御手段」は，「用紙搬送ベルトの移動を連続的に検出する位置検出手段による検出結果に基づいて，用紙搬送ベルトを移動させる駆動ローラと従動ローラの移動を補正しながら前記駆動ローラと前記従動ローラの移動を制御している」引用発明１の「制御手段」が「用紙搬送ベルトの移動を連続的に検出する位置検出手段による検出結果に基づいて，用紙搬送ベルトを回転させる駆動ローラと従動ローラの移動を補正しながら前記駆動ローラと前記従動ローラの移動を制御している」ものであることとは，
　共に，「記録媒体もしくは該記録媒体を載置する載置部を移動させる移動手段」と，「前記載置部の移動を連続的に検出する検出手段」と，「前記移動手段の制御を行う制御手段」とを備え，「前記制御手段は，前記検出部による検出結果に基づいて，前記移動手段の移動を補正しながら前記移動手段の移動の制御を行う」ものである点で共通するといえる。 
　（エ）したがって，両者は， 
 「　インクの液滴を吐出する記録ヘッドを備え，該記録ヘッドを往復移動させながら，該記録ヘッドからインク液滴を吐出して記録媒体に記録を行い，該記録媒体を載置する載置部により記録媒体を該往復移動に交差する方向に移動させることにより，該記録媒体の印刷領域全体に所望の文字や図柄の印刷を行うインクジェット記録装置において， 
　前記記録媒体もしくは該記録媒体を載置する載置部を移動させる移動手段と， 
　前記載置部の移動を連続的に検出する検出手段と， 
　前記移動手段の制御を行う制御手段と，を備え， 
　前記制御手段は， 
　前記検出部による検出結果に基づいて，前記移動手段の移動を補正しながら前記移動手段の移動の制御を行う 
　インクジェット記録装置。」 
 　の点で一致し，以下の点で相違している。 
 ［相違点１］
　本件訂正発明１の「インクジェット記録装置」が「記録ヘッドをガイドレールに沿って往復移動」させるものであるのに対して，引用発明１の「ＩＪキャリッジ２６」がガイドレールに沿って往復移動されるものであるか否かが特定されない点。
［相違点２］
　本件訂正発明１が「記録媒体を載置する載置部」により「記録媒体を該往復移動に交差する方向にスライド移動させる作動を繰り返す」ことにより，記録媒体を移動させるものであるのに対して，引用発明１は「Ｙ方向に記録媒体を移動させる」ことが特定される点。
［相違点３］
　制御手段が，本件訂正発明１においては，「検出手段の制御を行う」のに対し，引用発明１においては，そのようなものでない点。 
 ［相違点４］ 
　検出手段が，本件訂正発明１においては，「載置部を把持する把持部が設けられた把持手段と，該把持手段の移動を連続的に検出する検出部」と，を有するのに対し，引用発明１においては，把持手段を有していない点。 
 ［相違点５］ 
　本件訂正発明１においては，「把持手段は，前記把持部によって前記載置部を把持することにより，前記載置部の移動に連動して移動」するのに対し，引用発明１においては，把持手段を有していない点。 
 ［相違点６］ 
　制御手段が，本件訂正発明１においては，「移動手段によって前記記録媒体もしくは該記録媒体を載置する載置部が移動する場合に，前記把持手段が該記録媒体を載置する載置部を把持するように制御」するのに対し，引用発明１においては，そもそも把持手段を有していない点。 
 ［相違点７］ 
 　制御手段が，本件訂正発明１においては，「把持手段が移動したときの」検出部による検出結果に基づいて，制御を行うのに対し，引用発明１においては，そもそも把持手段を有していない点。
 
　イ　判断 
　上記相違点について，以下検討する。 
　（ア）相違点１及び２について
　記録ヘッドを往復移動させて所定範囲の印刷を行う方式のいわゆる「シリアル式」のインクジェット記録装置において，記録ヘッドをガイドレールにそって往復移動させるようにすることは，例えば異議申立人が提出した参考資料２（特開２００２−２４０３８２号公報）の段落【００２３】や同参考資料３（特開平５−５０６７２号公報）の段落【００１３】及び同参考資料４（特開平５−３８８５３号公報）の段落【００１６】に記載されているように，従来周知の技術である。
　また，同じくシリアル式のインクジェット記録装置において，記録媒体を記録ヘッドの往復移動に交差する方向にスライド移動させる作動を繰り返すことにより該記録媒体の印刷領域全体に所望の文字や図柄の印刷を行うことは，例えば，異議申立人の提出した甲４号証（特開２００３−８９９６６号公報）の段落【００３３】及び【００３４】や同参考資料２の段落【０００３】及び同参考資料３の段落【００２４】（４頁５欄２３〜３５行）に記載されているように，従来周知の技術である。
　してみると，引用発明１において，上記周知技術に基づいて，「記録ヘッドをガイドレールに沿って往復移動」させるようにするとともに，「Ｙ方向に記録媒体を移動させる」にあたって，「記録媒体」を「記録ヘッド」の「往復移動に交差する方向にスライド移動させる作動を繰り返す」ようにすることは，当業者が容易になし得る程度のことにすぎない。
　（イ）相違点３，６及び７について 
　ａ　引用発明３は，上記３（２）コのとおりであって，引用発明３における「被染布」は，その構造，機能，作用等からみて，本件訂正発明１における「記録媒体」に相当し，以下同様に，「エンドレスベルト」は「載置部」に，「『駆動ローラ』及び『被動ローラ』」は「移動手段」に，「エンドレスベルトの送り長さ検出機構」は「検出手段」に，「制御手段」は「制御手段」に，「クランプ機構」は「把持部」に，「『クランプ機構』及び『移動機構』」は「把持手段」に，「パルス検知ヘッドとリニアメインスケールとより成るリニアスケール」は「検出部」に，それぞれ相当する。 
　ｂ　引用発明３における「自動スクリーン捺染機」と本件訂正発明１における「インクジェット記録装置」とは，「画像記録装置」との概念で共通する。 
　ｃ　引用発明３における「制御手段」は，デジタル制御機構及びモータ制御機構によりなされるエンドレスベルト間欠送り並びにクランプ機構のクランプシリンダーのＯＮ，ＯＦＦ等の一連の動作の制御を行っているから，「駆動ローラ及び被動ローラ並びにエンドレスベルトの送り長さ検出機構の制御を行っている」といえる。 
　ｄ　引用発明３における「制御手段」は，クランプ機構の制御を行って，クランプ機構が，エンドレスベルトの間欠駆動に先立ち，エンドレスベルトの一側縁部を挟持し，エンドレスベルトの間欠駆動時エンドレスベルトと共に移動し，１リピート長の移動を終了するとエンドレスベルトは止まり，その時点で直ちにクランプ機構はエンドレスベルトの挟持を開放するから，「駆動ローラ及び被動ローラによって被染布を載置するエンドレスベルトが移動する場合に，クランプ機構が前記被染布を載置するエンドレスベルトを把持するように制御している」といえる。 
　ｅ　引用発明３における「制御手段」は，上記のとおり，駆動ローラ及び被動ローラによって被染布を載置するエンドレスベルトが移動する場合に，クランプ機構が前記被染布を載置するエンドレスベルトを把持するように制御し，またクランプ機構が把持する前記被染布を載置するエンドレスベルトの移動に伴ってその実際の送り長さをパルス数をリニアスケールにより検出して，設定パルス数に対応して，モータの駆動，言い換えれば駆動ローラ及び被動ローラの駆動を制御しているから，「クランプ機構が移動したときのリニアスケールによる検出結果に基づいて，駆動ローラ及び被動ローラの移動を制御している」といえる。 
　ｆ　上記ａないしｅにおいて説示したことに照らせば，上記相違点３，６及び７に係る本件訂正発明１の発明特定事項は，引用発明３に示されている。 
　そして，引用発明１と引用発明３とは，画像記録装置という共通の技術分野に属し，記録媒体を搬送するベルトの搬送精度の向上という共通の課題を有するものであるから，引用発明１において，引用発明３を適用することは，当業者が容易に想到し得るものである。 
  ｇ　特許権者は，引用発明３は，パルス数を都度検出し，検出されたパルス数に応じて駆動モータに（起動）加速，定速，減速，停止の制御を行うことによって，（載置部に相当する）「エンドレスベルト４」の移動速度を制御し，これを所定の移動量（「リピート長」）移動させるという，引用例１の「制御装置」と同様の構成を備えていることにすぎないから，本件訂正発明１の「前記把持手段が移動したときの前記検出部による検出結果に基づいて，前記移動手段の移動を補正しながら」移動手段の移動制御が行われることが充足されるものではない旨主張している。（特許権者意見書７頁１〜３０行）
　これに対して検討すると，上記３（１）ク（ア）で説示したように，本件訂正発明１の「前記把持手段が移動したときの前記検出部による検出結果に基づいて，前記移動手段の移動を補正しながら・・・制御を行う」とは，従来のエンコーダ等による検出機構と比較して，極めて正確にベルトの実際の移動量を検出する把持手段の移動を検出する検出手段の検出値に基づいて移動手段の移動を精緻に制御することが含まれるものと解されるところ，上記３（２）コで認定したように，引用発明３のものは，「エンドレスベルトを間欠駆動するための直流モータ或いは交流サーボモータ，エンドレスベルトのリピート長をパルス数に変換設定するためのデジタルスイッチ，「エンドレスベルトの移動に伴ってその実際の送り長さをパルス数として直線的に検出するリニアスケールを用いるエンドレスベルトの送り長さ検出機構」により検出される検出結果によって移動制御を行うものである（なお，この点は，特許権者も認めているものと解される）から，従来のエンコーダ等による検出機構と比較して，極めて正確にベルトの実際の移動量を検出する検出手段の検出値に基づいて移動手段の移動を精緻に制御するものに相当するものであるといえる。
　してみると，引用発明１に引用発明３の構成を適用した場合においても， 従来のエンコーダ等による検出機構と比較して，極めて正確にベルトの実際の移動量を検出する検出手段の検出値に基づいて移動手段の移動を精緻に制御することが達成できることは明らかであって，その結果，移動手段の移動を補正しながら，制御を行う」ことが達成できるものとなるから，特許権者の主張は採用できない。
　（ウ）相違点４及５ついて 
　引用発明３は，上記（イ）のａないしｅに加え，以下の事項を有するものといえる。 
　ａ　引用発明３における「エンドレスベルトの送り長さ検出機構」は，エンドレスベルトの側縁を開放自在に挟持するクランプ機構，及びパルス検知ヘッドとパルス検知ヘッドの移動に伴いその移動距離をパルス数として直線的に検出するリニアメインスケールより成るリニアスケールを備えているから，「エンドレスベルトを把持するクランプ機構が設けられた『クランプ機構』及び『移動機構』と，該『クランプ機構』及び『移動機構』の移動を連続的に検出するリニアスケール検出部とを有している」といえる。 
　ｂ　引用発明３における「『クランプ機構』及び『移動機構』」は，クランプ機構が，エンドレスベルトの一側縁部を挟持し，エンドレスベルトの間欠駆動時エンドレスベルトと共に移動するから，「クランプ機構によってエンドレスベルトを把持することにより，前記エンドレスベルトの移動に連動して移動する」といえる。 
　ｃ　上記（イ）のａないしｅ及び（ウ）のａ及びｂに照らせば，上記相違点２及３に係る本件訂正発明１の発明特定事項は，引用発明３に示されている。 
　そして，引用発明１において，引用発明３を適用することは，上記（イ）ｆにおいて示したと同様の理由により当業者が容易に想到し得るものである。 
　（エ）特許権者は，「引用発明１は，高精度な位置決め制御が要求されているインクジェット方式の画像形成装置において，「紙搬送ベルト」の移動を直接観測するために貼り付けたリニアスケールを読み取る場合に問題を生じさせていた同ベルトの継ぎ目部分であっても正確な読み取りを行うことを可能とした発明であって，そのようにしたことによって，引用発明１は，インクジェット方式の画像形成装置に求められる高精度な位置決め制御を既に実現しているにもかかわらず，引用発明１の構成を「紙搬送ベルト」の移動の直接観測ではなく，引用発明３の構成，すなわち，「エンドレスベルト４」を「パルス検出ヘッド１９」を備えた「リニアメインスケール１２」で読み取るという間接的な観測とする構成に変更する動機付けは一切認められない」旨主張する（特許権者意見書８頁１行〜１１頁５行）。
　そこで，当該主張の当否について以下検討する。
　ａ　引用発明１は，高度な位置決め制御が要求されているインクジェット方式の画像形成装置においては，紙搬送ベルトの移動を「直接観測することが望ましい」こと（甲１号証段落【０００２】）が記載され，そのために，「リニアスケールを紙搬送ベルトの表面や裏面に張り付け，これをセンサーでカウントする方法」が用いられていたが，その場合には，「無端の紙搬送ベルトにおける継ぎ目部分では，リニアスケールの目盛間隔（位相）が不連続となることから，高度な位置決め制御が困難となっていたという課題」が生じることが記載されている。
　ｂ　一方，引用発明３は，甲３号証の２頁４欄の１６〜４４行において「（発明が解決しようとする課題）これらの間欠的駆動装置は，機構的な送り精度自体は優秀のものであるが，エンドレスベルトの間欠駆動による送り長さをエンドレスベルトの駆動ローラを介して回転量としてのパルス検出を行っているため，駆動ローラの温度的な形状，寸法の変化及びエンドレスベルトの部分的な厚み，硬度の不均質等のエンドレスベルト自体に起因する送り誤差が不可避のものとなる。 本発明は，従来のエンドレスベルトの間欠的駆動装置の前記問題点を解消し，エンドレスベルトのリピート長の送り精度をより精度高く正確にするものである。即ち，本発明の目的は，従来のエンドレスベルトの間欠的駆動装置における駆動ローラの温度的な形状，寸法の変化及びエンドレスベルトの部分的な厚み，硬度等の変化により生じるエンドレスベルトの送り誤差を解消し，エンドレスベルトの送り精度をより精度高くより正確にしたエンドレスベルトの間欠的駆動装置を提供するにある。また本発明の目的は，被捺染材料を支持搬送するエンドレスベルトの実際の送り長さを設定されたリピート長（送り長さ）により精度高く一致させることが可能なエンドレスベルトの間欠的駆動装置を提供するにある。また本発明の目的は，エンドレスベルトのリピート長（送り長さ）をパルス数に変換して設定し，実際のエンドレスベルトの送り長さを直接により精度高く，パルス数として検出し，設定パルス数とこの検出されるパルス数との差に対応してエンドレスベルトの減速駆動及び停止をプログラムに従って自動的に行うことができるエンドレスベルトの間欠的駆動装置を提供するにある。」と記載されていることからすれば，引用発明３は，引用発明１と同様に，高度な位置決め制御が要求されているインクジェット方式の画像形成装置において，紙搬送ベルトの移動を「直接観測すること」により，，エンドレスベルトの送り精度をより精度高くより正確にが望ましいことを目的とするものと理解することができる。
　ｃ　してみると，当業者であれば，引用発明１に引用発明３を適用することにより，高度な位置決め制御が要求されているインクジェット方式の画像形成装置においては，望ましいとされている，紙搬送ベルトの移動を「直接観測すること」を実現可能であることは容易に想到し得ることであるから，引用発明１の「紙搬送ベルト」の移動を直接観測する方式である「リニアスケールを紙搬送ベルトの表面や裏面に張り付け，これをセンサーでカウントする方式」を，引用発明３の構成，すなわち，「エンドレスベルト４」を「パルス検出ヘッド１９」を備えた「リニアメインスケール１２」で読み取るという間接的な観測とする方式に変更することに動機付けが存在するものといえる。
　そして，そのように構成した場合には，引用発明１の無端の紙搬送ベルトにおける継ぎ目に関する課題がもはや生じなくなることも当業者であれば容易に理解し得ることである。
　ｄ　以上のとおりであるから，特許権者の主張は採用することができない。
　（オ）特許権者は，引用発明１に引用発明３を適用すると移動開始位置の正確性が損なわれるものであるとし，その根拠として，引用発明３のリニアメインスケール等の構成は，捺染の前後において位置ずれが生じることから，そもそも移動開始位置の正確性が既に失われていることを前提に採用されていることを理由に，引用発明１に引用発明３を適用することには阻害要因があると主張しているので以下検討する。
　ａ　甲３号証において，捺染の前後でエンドレスベルトの位置ずれが生じることについては記載されていないから，引用発明３において，捺染の前後でエンドレスベルトの位置ずれが生じることを前提とする特許権者の主張は根拠がない。
　ｂ　そもそも，引用発明３のクランプ機構は，上記３（２）イで説示した記載事項からみて「エンドレスベルト４の間欠駆動に先立ち，エンドレスベルト４の一側縁部を挟持し，エンドレスベルト４の間欠駆動時エンドレスベルト４と共に移動」し，「１リピート長の移動を終了するとエンドレスベルト４は止まり，その時点で直ちにクランプ機構１０はエンドレスベルト４の挟持を開放する」のであるから，たとえ，「捺染の前後でエンドレスベルトの位置ずれ」が生じるとしても，その位置ずれがエンドレスベルトの移動量の検出に影響するものでないことは明らかであるから，そのような事実があるとしても，引用発明３のリニアメインスケール等の構成がエンドレスベルトの移動量を正確に検出できること自体には変わりはない。
　してみると，仮に請求人の主張するように，捺染の前後において位置ずれが生じることから，そもそも移動開始位置の正確性が既に失われていることを前提に採用されるものであると解されるとしても，そのことが引用発明１に引用発明３を適用する阻害事由となるものではないというべきである。
　ｃ　以上のとおりであるから，特許権者の主張は採用することができない。
　（カ）本件訂正発明１の発明特定事項の全体によって奏される効果について検討しても，当該効果は，引用発明１及び３並びに上記周知技術から当業者が予測し得る範囲内のものである。 
　ウ　小括 
　以上のとおりであるから，本件訂正発明１は，引用発明１及び３並びに周知技術に基づいて，当業者が容易に発明をすることができたものである。 
 　 
　（２）本件訂正発明２について 
　ア　対比 
　本件訂正発明２と引用発明１とを対比すると，上記（１）アでの検討を踏まえるに，両者は，上記（１）ア（エ）において示した一致点があり，また引用発明１における「モータ」は，その構造，機能，作用等からみて，本件訂正発明２における「駆動手段」に相当するから，両者は，「移動手段を駆動させることによって，載置部を移動させる駆動力を発生する駆動手段を備える」点でも一致する。
　してみると，本件訂正発明２と引用発明１とは，上記（１）ア（エ）において示した相違点１〜７の点で相違する。 
　イ　判断 
　上記相違点１ないし７については，上記（１）イにおいて既に検討したとおり，いずれも，当業者が容易に想到し得るものである。 
　なお，引用発明７における「グリッパ」は，その構造，機能，作用等からみて，本件訂正発明２における「把持手段」に相当し，以下同様に，「ベルト」は「載置部」に，「駆動モータ」は「駆動手段」に相当するから，本件訂正発明２において，「把持手段を駆動させることによって載置部を移動させる駆動力を発生する駆動手段を備える」点は，引用発明７に示されている。 
　ウ　小括 
　以上のとおりであるから，本件訂正発明２は，引用発明１及び３並びに周知技術，または引用発明１，３及び７並びに周知技術に基づいて，当業者が容易に発明をすることができたものである。 
 　 
　（３）本件訂正発明３について 
　ア　対比 
　本件訂正発明３と引用発明１とを対比すると，上記（１）アでの検討を踏まえるに，両者は，上記（１）ア（エ）において示した一致点があり，また両者は，「移動手段は，一対のローラであり，載置部は，前記一対のローラに掛け回されたベルトである」点でも一致する。
　してみると，本件訂正発明３と引用発明１とは，上記（１）ア（エ）において示した相違点１〜７の点で相違する。 
　イ　判断 
　上記相違点１ないし７については，上記（１）イにおいて既に検討したとおり，いずれも，当業者が容易に想到し得るものである。
　また， 「把持手段を駆動させることによって載置部を移動させる駆動力を発生する駆動手段を備える」点は，引用発明７に示されていることも上述のとおりである。
　ウ　小括 
　以上のとおりであるから，本件訂正発明３は，引用発明１及び３並びに周知技術，または引用発明１，３及び７並びに周知技術に基づいて，当業者が容易に発明をすることができたものである。 
 　 
　（４）本件訂正発明４について 
　ア　対比 
　本件訂正発明４と引用発明１とを対比する。
　（ア）引用発明１の「ＩＪキャリッジ２６」は，その構造，機能，作用等からみて，本件訂正発明４の「記録ヘッド」に相当し，以下同様に，「用紙」は「記録媒体」に，「画像形成装置」は「インクジェット記録装置」に，「『紙搬送ベルト２２』及び『用紙搬送ベルト』」は「載置部」に，「『駆動ローラ２４』及び『従動ローラ２５』」は「移動手段」に，「『スケール』及び『位置検出手段』」は「『検出手段』及び『検出部』」に，「制御手段」は「制御手段」に，それぞれ相当する。 
　（イ）引用発明１の「ＩＪキャリッジ２６」は，紙搬送ベルト２２の上面（即ち，用紙上）を矢印Ｘ方向に移動可能な構成とされ，紙搬送ベルト２２により用紙が搬送される過程においてＩＪキャリッジ２６はＹ方向に移動し，その過程において用紙に対し印刷（画像形成）を行うものであるから，引用発明１の「ＩＪキャリッジ２６」は，「Ｘ方向に往復移動させながら」印字を行うものであり，Ｙ方向に記録媒体を移動させることにより，印刷範囲に対して印刷を行うものであることは明らかである。
　してみると，本件訂正発明４と引用発明１とは，「インクの液滴を吐出する記録ヘッドを備え，該記録ヘッドを往復移動させながら，該記録ヘッドからインク液滴を吐出して記録媒体に記録を行い，該記録媒体を載置する載置部により記録媒体を該往復移動に交差する方向に移動させることにより，該記録媒体の印刷領域全体に所望の文字や図柄の印刷を行う」ものである点で共通するものといえる。
　（ウ）ａ　引用発明１の「制御手段」は，位置検出手段からの出力から生成された位置情報に基づき，モータ２３により駆動される駆動ローラ２４と従動ローラ２５との間に配設された紙搬送ベルト２２の駆動制御を行うから，「モータ２３により駆動される駆動ローラ２４と従動ローラ２５」からなる「紙搬送ベルト２２」の移動手段を備え，「位置検出手段による検出結果に基づいて」移動手段である「駆動ローラ２４及び従動ローラ２５の移動の制御を行っている」といえる。
　ｂ　引用発明１の「位置検出手段」は，用紙搬送ベルトに設けられたスケールからの位置情報を読み取るから，「用紙搬送ベルトの移動を連続的に検出する」といえる。 
　ｃ　引用発明１の「制御手段」は，位置検出手段からの出力から位置情報を生成し，該位置情報に基づき駆動手段を制御して用紙搬送ベルトの移動を補正しながら前記用紙搬送ベルトの駆動制御を行うから，「位置検出手段による検出結果に基づいて，用紙搬送ベルトを回転させる駆動ローラと従動ローラの移動を補正しながら前記駆動ローラと前記従動ローラの移動を制御している」といえる。 
  ｄ　以上のことを総合すると，引用発明１は，「モータにより駆動される駆動ローラと従動ローラ」からなる「用紙搬送ベルト」の移動手段と，「用紙搬送ベルトの移動を連続的に検出する位置検出手段」と，「前記駆動ローラと前記従動ローラの移動を制御する制御手段」とを備え，「制御手段」は，「用紙搬送ベルトの移動を連続的に検出する位置検出手段による検出結果に基づいて，用紙搬送ベルトを移動させる駆動ローラと従動ローラの移動を補正しながら前記駆動ローラと前記従動ローラの移動を制御している」ものを備えているといえる。
　ｅ　してみると，本件訂正発明４が「前記記録媒体もしくは該記録媒体を載置する載置部を移動させる移動手段と，前記記録媒体もしくは前記載置部の移動を連続的に検出する検出手段と，前記移動手段および前記検出手段の制御を行う制御手段と，を備え，前記検出手段は，前記記録媒体を把持する上下方向に密着・解離可能に配設されている把持部が設けられた把持手段と，該把持手段の移動を連続的に検出する検出部と，を有し，前記把持手段は，前記把持部によって前記記録媒体を把持することにより，前記記録媒体の移動に連動して移動し，前記制御手段は，前記移動手段によって前記記録媒体もしくは該記録媒体を載置する載置部が移動する場合に，前記把持手段が前記記録媒体を把持するように制御し，前記把持手段が移動したときの前記検出部による検出結果に基づいて，前記移動手段の移動を補正しながら前記移動手段の移動の制御を行う」ものであることと，
　引用発明１が「モータにより駆動される駆動ローラと従動ローラ」からなる「用紙搬送ベルト」の移動手段と，「用紙搬送ベルトの移動を連続的に検出する位置検出手段」と，「前記駆動ローラと前記従動ローラの移動を制御する制御手段」とを備え，「制御手段」は，「用紙搬送ベルトの移動を連続的に検出する位置検出手段による検出結果に基づいて，用紙搬送ベルトを移動させる駆動ローラと従動ローラの移動を補正しながら前記駆動ローラと前記従動ローラの移動を制御している」引用発明１の「制御手段」が「用紙搬送ベルトの移動を連続的に検出する位置検出手段による検出結果に基づいて，用紙搬送ベルトを回転させる駆動ローラと従動ローラの移動を補正しながら前記駆動ローラと前記従動ローラの移動を制御している」ものであることとは，
　共に，「記録媒体もしくは該記録媒体を載置する載置部を移動させる移動手段」と，「前記載置部の移動を連続的に検出する検出手段」と，「前記移動手段の制御を行う制御手段」とを備え，「前記制御手段は，前記検出部による検出結果に基づいて，前記移動手段の移動を補正しながら前記移動手段の移動の制御を行う」ものである点で共通するといえる。 
　ｄ　したがって，両者は， 
 「　インクの液滴を吐出する記録ヘッドを備え，該記録ヘッドを往復移動させながら，該記録ヘッドからインク液滴を吐出して記録媒体に記録を行い，該記録媒体を載置する載置部により記録媒体を該往復移動に交差する方向に移動させることにより，該記録媒体の印刷領域全体に所望の文字や図柄の印刷を行うインクジェット記録装置において， 
　前記記録媒体もしくは該記録媒体を載置する載置部を移動させる移動手段と， 
　前記記録媒体の移動を連続的に検出する検出手段と， 
　前記移動手段の制御を行う制御手段と，を備え， 
　前記制御手段は， 
　前記検出部による検出結果に基づいて，前記移動手段の移動を補正しながら前記移動手段の移動の制御を行う 
　インクジェット記録装置。」 
　の点で一致し，以下の点で相違している。 
 ［相違点１］
　本件訂正発明４の「インクジェット記録装置」が「記録ヘッドをガイドレールに沿って往復移動」させるものであるのに対して，引用発明１の「ＩＪキャリッジ２６」がガイドレールに沿って往復移動されるものであるか否かが特定されない点
［相違点２］
　本件訂正発明４が「記録媒体を載置する載置部」により「記録媒体を該往復移動に交差する方向にスライド移動させる作動を繰り返す」ことにより，記録媒体を移動させるものであるのに対して，引用発明１は「Ｙ方向に記録媒体を移動させる」ことが特定される点
［相違点３’］
　制御手段が，本件訂正発明４においては，「検出手段の制御を行う」のに対し，引用発明１においては，そのようなものでない点。 
 ［相違点４’］ 
　検出手段が，本件訂正発明４においては，「記録媒体を把持する上下方向に密着・解離可能に配設されている把持部が設けられた把持手段と，該把持手段の移動を連続的に検出する検出部」と，を有するのに対し，引用発明１においては，把持手段を有していない点。 
 ［相違点５’］ 
　本件訂正発明４においては，「把持手段は，把持部によって前記記録媒体を把持することにより，前記記録媒体の移動に連動して移動」するのに対し，引用発明１においては，把持手段を有していない点。 
 ［相違点６’］ 
　制御手段が，本件訂正発明４においては，「移動手段によって前記記録媒体もしくは該記録媒体を載置する載置部が移動する場合に，前記把持手段が前記記録媒体を把持するように制御」するのに対し，引用発明１においては，そもそも把持手段を有していない点。 
 ［相違点７’］ 
　制御手段が，本件訂正発明４においては，「把持手段が移動したときの」検出部による検出結果に基づいて，制御を行うのに対し，引用発明１においては，そもそも把持手段を有していない点。 
　イ　判断
　事案に鑑み，相違点４’について検討する。
　相違点４’に係る本件訂正発明４の「記録媒体を把持する上下方向に密着・解離可能に配設されている把持部が設けられた把持手段」について検討する。
　（ア）上記（１）イの（ウ）の相違点４及び５において検討したように， 引用発明３における「エンドレスベルトの送り長さ検出機構」は，エンドレスベルトの側縁を開放自在に挟持するクランプ機構，及びパルス検知ヘッドとパルス検知ヘッドの移動に伴いその移動距離をパルス数として直線的に検出するリニアメインスケールより成るリニアスケールを備えているから，「エンドレスベルトを把持するクランプ機構が設けられた『クランプ機構』及び『移動機構』と，該『クランプ機構』及び『移動機構』の移動を連続的に検出するリニアスケール検出部とを有している」といえ，引用発明３における「『クランプ機構』及び『移動機構』」は，クランプ機構が，エンドレスベルトの一側縁部を挟持し，エンドレスベルトの間欠駆動時エンドレスベルトと共に移動するから，「クランプ機構によってエンドレスベルトを把持することにより，前記エンドレスベルトの移動に連動して移動する」といえる。 
　（イ）しかしながら，甲３号証においては，当該クランプ機構及び移動機構が記録媒体を直接把持するものであるとは記載されておらず，当該クランプ機構及び移動機構が記録媒体を把持するようにしてもよいことが示唆される記載もない。
　また，本件異議申立人の提出した各証拠に，この点が記載されているものはない。
　（ウ）特許異議申立人は，「インクジェット記録装置の搬送機構として，ベルトのような記録媒体が載せ置かれる載置部を備えず，２個のローラに直接掛け渡された記録媒体を搬送する搬送機構は，甲４号証（特開２００３−８９９６６号公報）に記載されている通り周知な構成にすぎない。したがって，このような搬送機構を備えるインクジェット記録装置において，画像記録装置という共通の技術分野に属する甲第３発明を適用する場合，甲第３発明の「エンドレスベルトの送り長さ機構」の「クランプ機構」が把持する対象を記録媒体の側縁部とする程度のことは当業者の創作能力の発揮にすぎない」旨主張している（申立人意見書２３頁下から２行〜２４頁１１行）。
　異議申立人の当該主張する理由については，下記ウ（イ）で検討するとおりであるが，ここでは，引用発明１に甲４号証記載の事項が周知であることを前提に想到容易性について検討する。
　引用発明１は，甲４号証と異なり「インクジェット記録装置の搬送機構として，ベルトのような記録媒体が載せ置かれる載置部」を備えるものであることから，引用発明１において，クランプ機構が記録媒体を直接把持するものとすることが容易に想到し得るものということはできない。
　（エ）以上のとおり，上記相違点４’は当業者が容易に想到し得るものということはできないから，本件訂正発明４は，その他の相違点について検討するまでもなく，引用発明１に引用発明３及び引用発明７並びに周知技術を適用して当業者が容易に発明をすることができたものということはできない。
　　
　ウ　取消理由で採用しなかったその他の本件訂正発明４に係る特許についての異議申立理由について
　（ア）甲２号証に記載の発明及び引用発明３に基づく進歩性欠如
　特許異議申立人は，本件訂正発明４に関して，甲２号証（特開２０１２−２４９３２号公報）に記載の発明に引用発明３を適用することによる想到容易性について主張しているが，甲２号証には，上記相違点４’に係る「記録媒体を把持する上下方向に密着・解離可能に配設されている把持部が設けられた把持手段」については記載も示唆もされていないから，本件訂正発明４について，甲２号証記載の発明及び引用発明３を適用することにより容易に想到し得るものとはいえない。
　また，甲１号証やその他の異議申立人が提出した証拠においても，「記録媒体を把持する上下方向に密着・解離可能に配設されている把持部が設けられた把持手段」が記載されていないことは，上述したとおりである。
　（イ）甲４号証に記載の発明及び引用発明３に基づく進歩性欠如
　引用発明３は，上記３（２）コで認定したとおりのものであり，引用発明３のクランプ機構である把持部は，記録媒体を載置する載置部であるところのエンドレスベルトを把持するものである。
　甲４号証に記載の発明は，異議申立人の主張のとおり，「インクジェット記録装置の搬送機構として，ベルトのような記録媒体が載せ置かれる載置部」を備えないものであるところ，このようにベルトを備えないものについて，エンドレスベルトを把持する引用発明３のクランプ機構を適用することを動機付けるものはない。
　また，本件訂正発明４の上記相違点４’に係る「記録媒体を把持する上下方向に密着・解離可能に配設されている把持部が設けられた把持手段」が本件特許に係る出願前に公知の技術であったことを根拠付ける証拠は見受けられない。
　（ウ）本件特許明細書又は特許請求の範囲の記載不備
　特許異議申立人は，本件訂正請求による訂正前の請求項２に係る「前記把持手段を駆動させることによって前記記録媒体もしくは前記載置部を移動させる駆動力を発生する駆動手段」の構成を実施できる程度に発明の詳細な説明には記載されておらず，また，発明の詳細な説明には，このような構成により発明の課題を解決し得るものと当業者が認識し得ないことを理由として，本件訂正前の請求項４に係る特許について取り消されるべきものである旨主張している。
　しかしながら，本件訂正請求後の本件訂正発明４は，上記第２の２（２）で説示したように，訂正前の請求項１ないし３を引用する請求項４を実質的に請求項２及び３の引用を削除した上で，請求項１を引用する請求項４を書き下した訂正をするものであるから，当該請求項２に係る構成についての記載不備をいう異議申立理由が本件訂正発明４において妥当しないことは明らかである。
　エ　小括
　上記のとおり，本件訂正発明４については，本件決定の予告に記載した取消理由及び特許異議申立人が主張する異議申立理由によっては，取り消すことができない。
第４　むすび 
　以上のとおり，本件訂正発明１〜３は，引用発明１及び３並びに周知技術，または引用発明１，３及び７並びに周知技術に基づいて，当業者が容易に発明をすることができたものであるから，本件訂正請求による訂正後の請求項１ないし３に係る特許は，特許法第２９条第２項の規定に違反してされたものであって，同法第１１３条第２号に該当し，取り消されるべきものである。 
　また，本件訂正請求による訂正後の請求項４に係る特許は，本件決定の予告に記載した取消理由または異議申立理由によっては取り消すことができない。さらに，他に当該請求項４に係る特許を取り消すべき理由を発見しない。 　 
　よって，結論のとおり決定する。 
【異議決定日】
平成３０年１１月６日（２０１８．１１．６）
【訂正の要旨】
審決（決定）の【理由】欄参照。
（５７）【特許請求の範囲】
　【請求項１】
　インクの液滴を吐出する記録ヘッドを備え、
該記録ヘッドをガイドレールに沿って往復移動させながら、
い、該記録媒体を載置する載置部により該記録媒体を該往復移動に交差する方向にスライド移動させる作動を繰り返すことにより、該記録媒体の印刷領域全体に所望の文字や図柄の印刷を行
　前記記録媒体もしくは該記録媒体を載置する載置部を移動させる移動手段と、
　前記記録媒体もしくは前記載置部の移動を連続的に検出する検出手段と、
　前記移動手段および前記検出手段の制御を行う制御手段と、を備え、
　前記検出手段は
、前
　前記把持手段は、前記把持部によっ
て前
、前
　前記制御手段は、
　前記移動手段によって前記記録媒体もしくは該記録媒体を載置する載置部が移動する場合に、前記把持手段
が該
　前記把持手段が移動したときの前記検出部による検出結果に基づいて、
前記移動手段の移動を補正しながら
　を特徴とするインクジェット記録装置。
　【請求項２】
　前記移動手段を駆動させることによって、または前記把持手段を駆動させることによって前記記録媒体もしくは前記載置部を移動させる駆動力を発生する駆動手段を備えることを特徴とする請求項１記載のインクジェット記録装置。
　【請求項３】
　前記移動手段は、一対のローラであり、
　前記載置部は、前記一対のローラに掛け回されたベルトであること
を特徴とする請求項１または請求項２に記載のインクジェット記録装置。
　【請求項４】
　
インクの液滴を吐出する記録ヘッドを備え、該記録ヘッドをガイドレールに沿って往復移動させながら、該記録ヘッドからインクの液滴を吐出して記録媒体に記録を行い、該記録媒体を載置する載置部により該記録媒体を該往復移動に交差する方向にスライド移動させる作動を繰り返すことにより、該記録媒体の印刷領域全体に所望の文字や図柄の印刷を行うインクジェット記録装置において、
　前記記録媒体もしくは該記録媒体を載置する載置部を移動させる移動手段と、
　前記記録媒体もしくは前記載置部の移動を連続的に検出する検出手段と、
　
前記移動手段および前記検出手段の制御を行う制御手段と、を備え、
　
前記検出手段は、前記記録媒体を把持する
把持部が設けられた把持手段と、該把持手段の移動を連続的に検出する検出部と、を有し、
　
前記把持手段は、前記把持部によって前記記録媒体を把持することにより、前記記録媒体の移動に連動して移動し、
　
前記制御手段は、
　
前記移動手段によって前記記録媒体もしくは該記録媒体を載置する載置部が移動する場合に、前記把持手段が前記記録媒体を把持するように制御し、
　
前記把持手段が移動したときの前記検出部による検出結果に基づいて、前記移動手段の移動を補正しながら前記移動手段の移動の制御を行うこと
　
を特徴とする